(57)【要約】【課題】  画像表示装置において、拡大画面に対して縮小処理を行なった際に、ユーザの意図に反してズームモードが解除される可能性を低減し、ズーム表示の操作性を向上させること。【解決手段】  表示画像の一部を拡大表示あるいは縮小表示するズームモードにおいて、縮小表示された表示画像サイズがズームモードへ移行する前の表示画像サイズより小さくなる場合は、ズームモードへ移行する前の表示画像を表示し、その表示状態において再度縮小表示を行なった場合、ズームモードを解除する。【選択図】  図６
2007071901.tif 000002
【特許請求の範囲】
【請求項１】
表示画像の一部を拡大表示あるいは縮小表示するズーム手段を備え、
前記ズーム手段によって、拡大表示あるいは縮小表示するための設定が可能なズームモードを有する画像表示装置であって、
前記ズームモードでは、
前記ズーム手段によって縮小表示された表示画像サイズが、前記ズームモードへ移行する前の表示画像サイズより小さくなる場合は、前記ズームモードへ移行する前の表示画像を表示する表示状態を持ち、
前記表示状態において、前記ズーム手段によって再度縮小表示を行なった場合、前記ズームモードを解除することを特徴とする画像表示装置。
【請求項２】
表示画像の一部を拡大表示あるいは縮小表示するズーム工程を備え、
前記ズーム工程によって、拡大表示あるいは縮小表示するための設定が可能なズームモードを有する画像表示方法であって、
前記ズームモードでは、
前記ズーム工程によって縮小表示された表示画像サイズが、前記ズームモードへ移行する前の表示画像サイズより小さくなる場合は、前記ズームモードへ移行する前の表示画像を表示する表示状態を持ち、
前記表示状態において、前記ズーム工程によって再度縮小表示を行なった場合、前記ズームモードを解除することを特徴とする画像表示方法。
【請求項３】
請求項２に記載の画像表示方法を実行することを特徴とするプログラム。
【請求項４】
請求項３に記載のプログラムを記憶していることを特徴とする、コンピュータにより読み取り可能な記憶媒体。
【発明の詳細な説明】
【技術分野】
【０００１】
本発明は、表示画像の一部を拡大表示あるいは縮小表示する画像表示装置に関する。
【背景技術】
【０００２】
近年、プラズマディスプレイや液晶ディスプレイ、リアプロジェクションディスプレイなど、ディスプレイの大画面化と多機能化に伴って、ディスプレイを用いた会議やプレゼンテーションが盛んに行なわれている。この場合、パーソナルコンピュータにおけるアプリケーションソフトを利用して作成した文章や表、プレゼンテーションといった様々なデータを、パーソナルコンピュータのビデオ出力端子に接続したディスプレイで表示を行なっている。
【０００３】
また、これらディスプレイにおいて、表示画面上の位置を指示するためには、一般的に、指し棒やレーザーポインタが使用されているが、最近では、表示画面上の座標を、指やペンなどの指示手段で直接指示可能なデジタイザを備えたディスプレイが開発されている。
【０００４】
該デジタイザとしては、装置の表示画面内部に圧力センサーを備えてペンなどが触れたときの圧力を検出する方式、磁界を発生するペンを使用してその磁界を表示画面内部のセンサーにより検出する電磁誘導方式、超音波発信子と超音波センサーを表示画面の枠部分などに配置して画面上の物体の位置を検出する超音波表面弾性波方式、赤外線を発信するペンを使用してその赤外線を表示装置内部のセンサーにより受信する赤外線方式などが発明されている。
【０００５】
いずれの方式であっても、デジタイザとパーソナルコンピュータの間で指示情報の送受信を行なうことで、指示情報をパーソナルコンピュータに与えることができるため、パーソナルコンピュータの操作を直感的に行なう事ができ、これにより、指示位置にカーソルを表示したり、画像上に文字や図形等の上書きを行なったりすることが可能となる。
【０００６】
デジタイザを有したディスプレイにおいて実現される機能として、表示画面上のカーソル表示、文字や図形等の上書きのほかに、表示画像の一部を拡大表示する機能が挙げられる。
【０００７】
ペンなどの指示手段を用いて始点と終点を指示し、始点と終点で囲まれた矩形領域を全画面に拡大表示するという手順により行なうと、拡大したい領域を直感的に指定することができる。
【０００８】
一般的に表示画像の一部を拡大表示する機能を有したディスプレイは、表示画像の一部を拡大表示あるいは縮小表示するための設定が可能な状態（ズームモード）と、非ズームモードを備えている。
【０００９】
その理由として、モード毎に表示画面上の表示形態を変更したり、モード毎に操作ボタンの機能を異なる内容に変更したりするからである。以下に例を挙げる。
【００１０】
例えば特許文献１では、ズームモードと非ズームモードを備えることで、表示画面の表示形態を両者で変更している。これによって、拡大表示領域とそれ以外の表示領域の表示形態に差異を付けることができ、視聴者及び操作者が拡大表示領域を容易に認識ができることを特徴としている。
【００１１】
また、例えば特許文献２では、携帯端末機器の限られた操作キー数で画像の所望の箇所を拡大表示または縮小表示するために、例えば、十字キー（上下左右キー）の機能をモード毎に切り替えて使用することを特徴としている。
【００１２】
一方、ズームモードから非ズームモードへ移行する場合、つまりズームモードを解除する場合、その方法として、拡大画面に対して縮小処理を繰り返すことで、拡大率が１倍になった時にズームモードを解除する方法がある。拡大率とは、非ズームモードの表示画像サイズと拡大表示後の表示画像サイズの比率であり、非ズームモードの表示画像サイズを１倍とした時の倍率である。
【特許文献１】特開２００１−１２５５５０号公報
【特許文献２】特開２００４−２３５８０５号公報
【発明の開示】
【発明が解決しようとする課題】
【００１３】
しかしながら、拡大率が１倍になった時にズームモードを解除する方法では、ユーザが拡大画面に対して縮小処理を行なった際に、ユーザの意図に反してズームモードを解除してしまう問題があった。
【００１４】
本発明では、上記課題に鑑みてなされたものであり、拡大画面に対して縮小処理を行なった際に、ユーザの意図に反してズームモードが解除される可能性を低減し、ズーム表示の操作性を向上させることを目的とする。
【課題を解決するための手段】
【００１５】
上述のような課題を解決するための本発明の画像表示装置は、表示画像の一部を拡大表示あるいは縮小表示するズーム手段を備え、前記ズーム手段によって、拡大表示あるいは縮小表示するための設定が可能なズームモードを有する画像表示装置であって、前記ズームモードでは、前記ズーム手段によって縮小表示された表示画像サイズが、前記ズームモードへ移行する前の表示画像サイズより小さくなる場合は、前記ズームモードへ移行する前の表示画像を表示する表示状態を持ち、前記表示状態において、前記ズーム手段によって再度縮小表示を行なった場合、前記ズームモードを解除することを特徴とする。
【発明の効果】
【００１６】
本発明の画像表示装置は、拡大画面に対して縮小処理を行なった際に、ユーザの意図に反してズームモードが解除される可能性を低減し、ズーム表示の操作性を向上させることが可能となる。
【発明を実施するための最良の形態】
【００１７】
以下、本発明の実施の形態について図面を用いて説明する。
【００１８】
（第１の実施形態）
図1は、本発明の第1の実施形態である画像表示装置を説明するための図であり、図1の（Ａ）に示す表示画面１０１に対して、指定した領域１０２内の画像を拡大表示した際の表示画面１０１を、図1の（Ｂ）に示している。詳しい表示画面１０１の説明は、図２から図４を用いて後ほど説明する。
【００１９】
画像表示装置１００では、表示画面１０１上部の左右に設置されたデジタイザモジュール（画面上の位置情報を入力する座標入力手段）１０３および１０４から赤外線を発信し画面の表面をスキャンしている。
【００２０】
画面上に障害物が存在すると、発信された赤外線が遮られ、受信信号のレベルが変化するため、その変化から障害物の位置および大きさを検出することが可能である。例えば指やペンなどの指示手段を用いて画面上の所定の位置を指示すると、その位置を検出することができる。さらに、始点と終点を指示することで、始点と終点で囲まれた矩形領域を検出することができる。
【００２１】
また、画像表示装置１００は、ユーザが電源オン／オフ、音量調整、チャンネル切り換えなどを行なうための操作ボタン１０５を備えており、いずれかのボタンを押すと各処理が実行される。
【００２２】
操作ボタン１０５の中の一つに、表示画像の一部を拡大表示あるいは縮小表示するための設定が可能な状態（“ズームモード”）と“非ズームモード”間の移行を行なうズームボタンがある。つまり“ズームモード”のオン／オフを行なうボタンである。
【００２３】
“ズームモード”には２つのモード（"ズームモード１"と"ズームモード２"）が存在し、表示画像が１倍より大きな拡大率で拡大表示されている時は、"ズームモード１"を保持し、表示画像が１倍の拡大率で表示されている時は、"ズームモード２"を保持する。拡大率とは、"非ズームモード"の表示画像サイズと拡大表示後の画像サイズの比率であり、"非ズームモード"の表示画像サイズを１倍とした時の倍率である。
【００２４】
“非ズームモード”、"ズームモード１"、"ズームモード２"の各モードでは表示画像や処理内容が異なる。
【００２５】
以下、図２から図４を用いて３つのモードにおける表示画像の違いを説明する。
【００２６】
図２は、"非ズームモード"の表示画面１０１を示し、図３は、"ズームモード１"の表示画面１０１を示している。
【００２７】
"ズームモード１"の表示画面１０１には、"非ズームモード"の表示画像の一部が拡大表示された画像と、ズームウィンドウ２０１、垂直スライサー２０２、垂直スクロールバー２０３、水平スライサー２０４、水平スクロールバー２０５、縮小画面２０６が表示されている。
【００２８】
ズームウィンドウ２０１は、ズームアップ用アイコン２０８、ズームダウン用アイコン２０９、領域指定用アイコン２１０によって構成される。これらアイコンは、指やペンなどの指示手段を用いて押下することで、各処理が行なわれる。
【００２９】
ズームアップ用アイコン２０８を押すと、表示画面１０１の中心点を基準として定倍率で拡大表示を行ない、ズームダウン用アイコン２０９を押すと、表示画面１０１の中心点を基準として定倍率で縮小表示を行なう。
【００３０】
また、領域指定用アイコン２１０を押した後に、領域の指定を行なうと、指定した領域を拡大表示する。領域の指定方法は、前述のとおり、指示手段によって始点と終点を指示することで、始点と終点で囲まれた矩形領域を、指定した領域として扱っているが、この時、表示画面のアスペクト比と、指定した領域のアスペクト比とが等しくなるように、矩形の終点を自動的に修正している。
【００３１】
ここでは、矩形の終点を自動的に修正しているが、矩形の始点を修正してもよい。また、領域を指定した後に領域指定用アイコン２１０を押したとしても、指定した領域を拡大表示することができる。
【００３２】
縮小画面２０６は、"非ズームモード"の表示画像を縮小表示した画面であり、"非ズームモード"の表示画像における拡大表示領域２０７の位置関係が視覚的に理解できるようにするためのものである。そのため、縮小画面２０６において、拡大表示領域２０７を実線で囲んでいる。"非ズームモード"の表示画像における拡大表示領域２０７の位置関係が視覚的に理解できる表示方法ならばどのような方法でも良く、例えば拡大表示領域２０７とそれ以外の表示領域とで明暗の差をつけるなどしても良い。
【００３３】
垂直スクロールバー２０３は、垂直スライサー２０２に対する大きさで垂直方向の拡大率を示し、また、垂直スライサー２０２に対する位置で、"非ズームモード"の表示画像における位置情報を示す。
【００３４】
水平スクロールバー２０５は、水平スライサー２０４に対する大きさで水平方向の拡大率を示し、また、水平スライサー２０２に対する位置で、"非ズームモード"の表示画像における位置情報を示す。
【００３５】
また、垂直スライサー２０２、垂直スクロールバー２０３と、水平スライサー２０４、水平スクロールバー２０５と縮小画面２０６は、必ずしもすべて表示する必要はなく、いずれか１つだけでも良い。
【００３６】
一方、図４は、"ズームモード２"の表示画面１０１を示している。
【００３７】
"ズームモード２" の表示画面１０１には、拡大率が１倍の表示画像と、ズームウィンドウ２０１が表示されている。
【００３８】
拡大率が１倍であるため、"ズームモード１"のように、拡大率や位置関係が視覚的に理解できるような付加表示を行なう必要はないが、ズームウィンドウ２０１により、表示画像の再拡大表示や縮小表示を行なうことができる。
【００３９】
図５は、本発明の第1の実施形態である画像表示装置と情報処理装置の概略構成を示すブロック図であり、３００は情報処理装置としてのパーソナルコンピュータ、１００は画像表示装置であり、ビデオケーブル５００と通信ケーブル６００とで接続している。
【００４０】
パーソナルコンピュータ３００は、全体を制御し各種処理を実行するＣＰＵ３０１と、ＣＰＵ３０１が実行するプログラムを記憶するＲＯＭ３０４と、ＣＰＵ３０１が使用するデータなどを記憶するＲＡＭ３０３と、キーボードインタフェース３０２と、マウスインタフェース３０５と、描画信号処理部３０６と、ディスプレイ出力インタフェース３０７で構成され、それぞれシステムバス３０８で接続される。
【００４１】
マウスインタフェ−ス３０５には、通常、マウスなどの座標入力装置を接続し、パーソナルコンピュータ画面上のポインタを表示制御する座標情報をＣＰＵ３０１へ供給し、また、クリック信号が検出された場合はコマンド信号としてＣＰＵ３０１へ供給する。通信ケーブル６００を介して画像表示装置１００のマウスインタフェース４０６と接続する。キーボードインタフェース１０５には、通常、キーボードを接続し、入力情報をＣＰＵ３０１へ供給する。
【００４２】
ＣＰＵ３０１は、座標入力装置またはキーボードによって入力される座標情報やコマンドに従って、例えばＲＯＭ３０４やＲＡＭ３０３に対するデータの記録、読み出しなどの処理を行なう。ＲＡＭ３０３に記録されたデータは、描画信号処理部３０６に読み出されて画像信号を生成し、ディスプレイ出力インタフェース３０７を介して画像表示装置１００へ出力する。
【００４３】
画像表示装置１００は、ディスプレイ入力インタフェース４０２と、画像表示ブロック４０１と、システムコントローラ４０７と、指示情報検出部４０８と、マウスインタフェース４０６と、操作ボタン入力部４０９とを含んで構成される。また、画像表示ブロック４０１は、画像処理部４０３と、付加表示生成部４０５と、表示デバイス４０４とを含んで構成される。
【００４４】
以上の構成において、パーソナルコンピュータ３００から出力される画像信号は、ビデオケーブル５００、およびディスプレイ入力インタフェース４０２を介して画像処理部４０３に入力される。
【００４５】
画像処理部４０３では、図示しない画像メモリへの入力画像信号の取り込み位置の最適化や、入力画像信号の解像度を表示デバイス４０４が持つ解像度へ最適化するなどの処理を行ない、表示デバイス４０４で画像を表示する。ここで、入力画像信号の取り込み位置の最適化や、表示デバイス４０４が持つ解像度への最適化などの処理に関する制御はシステムコントローラ４０７が行なう。
【００４６】
付加表示生成部４０５は、システムコントローラ４０７からの制御により所望の画像を生成し、画像処理部４０３で入力画像信号と合成して表示を行なう。
【００４７】
システムコントローラ４０７は、指示情報検出部４０８、操作ボタン入力部４０９からの信号が入力され、それぞれの機能に対応した制御を行なう。また、マウスインタフェース４０６は、システムコントローラ４０７の制御により、指示情報検出部４０８で検出されるデジタイザによる指示情報８００をパーソナルコンピュータ３００へ出力する。
【００４８】
パーソナルコンピュータ３００では、受け取った指示情報８００をマウスによる座標情報と同様に扱い、パーソナルコンピュータ３００上で動作するアプリケーションソフトなどの操作を可能とする。
【００４９】
ここで、操作ボタン入力部４０９によりズームモードに設定されると、付加表示生成部４０５では、ズームウィンドウ２０１や拡大率、位置関係が視覚的に理解できる表示画像を、モードに応じて生成する。また画像処理部４０３では、指示情報検出部４０８で検出されるデジタイザによる指示情報８００を基に表示画像の一部を拡大処理、または縮小処理し、付加表示生成部４０５で生成する表示画像と合成し、表示する。
【００５０】
図６は、本発明の第1の実施形態である画像表示装置において、表示画像の拡大表示または縮小表示を行なう時の処理フロー図を示す。
【００５１】
まず、ステップＳ１０１にて、操作ボタン１０５中のズームボタンが押されたか否かの判定を行ない、ズームボタンが押された場合は、ステップＳ１０２へ進み、現在のモードが"ズームモード"（“ズームモード１”または“ズームモード２”）か否かの判定を行なう。
【００５２】
ステップＳ１０２における判定の結果、“ズームモード”である（“ズームモード１”または“ズームモード２”である）場合は、ステップＳ１０３とステップＳ１０４にて"非ズームモード"への設定の変更が行なわれ、"非ズームモード"の表示画面（図２参照）に従って、画像が表示される。
【００５３】
一方、ステップＳ１０２における判定の結果、"非ズームモード"である場合は、ステップＳ１０５において"ズームモード２"に設定された後、ステップＳ１０６において"ズームモード２" の表示画面（図４参照）に従って、画像が表示される。その後、ズームアップ用アイコン２０８、又はズームダウン用アイコン２０９、又は領域指定用アイコン２１０、又はズームボタンのいずれかが押されるのをステップＳ１０８、ステップＳ１０９、ステップＳ１１０、ステップＳ１０１において判定する。
【００５４】
ステップＳ１１０における判定の結果、領域指定用アイコン２１０が押された場合は、指示手段による領域指定が行なわれるまでステップＳ１１８において待ち受ける。
【００５５】
ステップＳ１１８における判定の結果、領域指定が行なわれた場合は、ステップＳ１１９にて指定した領域が拡大処理される。その後、ステップＳ１２０にて、"ズームモード１"への設定の変更が行なわれ、"ズームモード１"の表示画面（図３参照）に従い、ステップＳ１２１において拡大処理後の画像とスクロールバー、スライサー、縮小画面が表示、更新される。
【００５６】
ここでは、領域指定用アイコン２１０が押された後に、指示手段による領域指定を行なうが、領域を指定した後に領域指定用アイコン２１０を押すことで拡大処理を行なっても良い。また、ステップＳ１１８における待ち受け時に、いずれかのアイコンを待ち受けキャンセル用に割り当てても良い。
【００５７】
また、ステップＳ１０９における判定の結果、ズームアップ用アイコン２０８が押された場合は、ステップＳ１１６にて、表示画面１０１の中心点を基準とした定倍率の拡大処理が行なわれる。その後、ステップＳ１１７にて、"ズームモード１"への設定の変更が行なわれ、"ズームモード１"の表示画面（図３参照）に従って、ステップＳ１２１において拡大処理後の画像とスクロールバー、スライサー、縮小画面が表示、更新される。
【００５８】
一方、ステップＳ１０８における判定の結果、ズームダウン用アイコン２０９が押された場合は、ステップＳ１１１にて"ズームモード２"か否かの判定を行なう。
【００５９】
ステップＳ１１１における判定の結果、"ズームモード２"である場合は、ステップＳ１０３とステップＳ１０４にて"非ズームモード"への設定の変更が行なわれ、"非ズームモード"の表示画面（図２参照）に従って、画像が表示される。
【００６０】
ステップＳ１１１における判定の結果、"ズームモード２"ではない場合、ステップＳ１１２において、定倍率縮小後の拡大率が１倍以下か否かの判定を行なう。つまり、定倍率縮小後の表示画像が"非ズームモード"の表示画像と同じか、又はそれより小さくなるか否かの判定を行なう。
【００６１】
ステップＳ１１２における判定の結果、定倍率縮小後の拡大率が１倍以下の場合、ステップＳ１１３において、拡大率を１倍とした縮小処理を行なう。その後、ステップＳ１１４にて、"ズームモード２"への設定の変更が行なわれ、ステップＳ１２１において、"ズームモード２"の表示画面（図４参照）に従って表示を行なう（図４参照）。
【００６２】
一方、ステップＳ１１２における判定の結果、定倍率縮小後の拡大率が１倍より大きい場合、ステップＳ１１５において、表示画面１０１の中心点を基準とした定倍率の縮小処理が行なわれ、ステップＳ１２１において拡大処理後の画像とスクロールバー、スライサー、縮小画面が表示、更新される。
【００６３】
上述したように、“ズームモード”から“非ズームモード”へ移行する（ズームモードを解除する）方法として、“ズームモード”のオン／オフを行なうズームボタンの押下による方法の他に、拡大画面に対して定倍率の縮小処理を繰り返すことで“ズームモード”を解除することが可能であるが、この時、必ず“ズームモード２”を介すことで、ユーザの意図に反して“ズームモード”が解除される可能性を低減し、ズーム表示の操作性を向上させることができる。
【００６４】
（第２の実施形態）
図７は、本発明の第２の実施形態である画像表示装置と画像出力装置の概略構成を示すブロック図であり、７００は画像出力装置、１００は画像表示装置であり、ビデオケーブル５００とで接続している。
【００６５】
画像出力装置７００は、例えばTVチューナやVTRといった映像信号を出力する機器であれば何でもよく、画像表示装置１００の内部構成は第１の実施形態と同じである。本実施の形態においても第１の実施形態と同様の効果を得ることが出来る。
【００６６】
なお本発明において、前述した実施形態では、表示画面上部の左右に設置されたデジタイザモジュールから赤外線を発信し画面の表面をスキャンすることで指示情報の検出を行なっているが、上記実施の形態に限らない。また、領域の指定方法やスクロールバー、スライサー、縮小画面、ズームウィンドウなどの表示形態や種類、数量は、上記実施の形態に限らない。その他、本発明の要旨を逸脱しない範囲内で、種々の変更を行なってよい。
【００６７】
また、前述した実施形態の機能を実現するソフトウェアのプログラムコードを記録した記憶媒体（又は記録媒体）を、システム又は装置に供給し、そのシステム或いは装置のコンピュータ（又はＣＰＵやＭＰＵ）が記憶媒体に格納されたプログラムコードを読み出し実行することによっても、達成されることは言うまでもない。
【００６８】
この場合、記憶媒体から読み出されたプログラムコード自体が前述した実施形態の機能を実現することになり、そのプログラムコードを記憶した記憶媒体は本発明を構成することになる。
【００６９】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部または全部を行ない、その処理によって前述した実施形態の機能が実現される場合も含まれることは言うまでもない。
【００７０】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行ない、その処理によって前述した実施形態の機能が実現される場合も含まれることは言うまでもない。
【００７１】
また、上記プログラムは、前述した実施の形態の機能をコンピュータで実現することができればよく、その形態は、オブジェクトコード、インタプリタにより実行されるプログラム、ＯＳに供給されるスクリプトデータ等の形態を有するものでもよい。
【００７２】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【００７３】
以上記述したように、本発明の画像表示装置は、拡大画面に対して定倍率の縮小処理を行なった際に、ユーザの意図に反してズームモードが解除される可能性を低減することが可能となる。
【図面の簡単な説明】
【００７４】
【図１】本発明の第１の実施形態である画像表示装置において、指定した領域を拡大表示した際の表示画面を説明するための図である。
【図２】本発明の第１の実施形態である画像表示装置において、"非ズームモード"の表示画面を説明するための図である。
【図３】本発明の第１の実施形態である画像表示装置において、"ズームモード１"の表示画面を説明するための図である。
【図４】本発明の第１の実施形態である画像表示装置において、"ズームモード２"の表示画面を説明するための図である。
【図５】本発明の第１の実施形態である画像表示装置と情報処理装置の概略構成を示すブロック図である。
【図６】本発明の第１の実施形態である画像表示装置において、表示画像の拡大表示または縮小表示を行なう時の処理フロー図である。
【図７】本発明の第２の実施形態である画像表示装置と画像出力装置の概略構成を示すブロック図である。
【符号の説明】
【００７５】
１００  画像表示装置
１０１  表示画面
１０２  指定領域
１０３  デジタイザモジュール
１０４  デジタイザモジュール
１０５  操作ボタン
２０１  ズームウィンドウ
２０２  垂直スライサー
２０３  垂直スクロールバー
２０４  水平スライサー
２０５  水平スクロールバー
２０６  縮小画面
２０７  拡大表示領域
２０８  ズームアップ用アイコン
２０９  ズームダウン用アイコン
２１０  領域指定用アイコン
３００  パーソナルコンピュータ（情報処理装置）
３０１  ＣＰＵ
３０２  キーボードＩ/Ｆ
３０３  ＲＡＭ
３０４  ＲＯＭ
３０５  マウスＩ/Ｆ
３０６  描画信号処理部
３０７  ディスプレイ出力Ｉ/Ｆ
３０８  システムバス
４０１  画像表示ブロック
４０２  ディスプレイ入力Ｉ/Ｆ
４０３  画像処理部
４０４  表示デバイス
４０５  付加表示生成部
４０６  マウスＩ/Ｆ
４０７  システムコントローラ
４０８  指示情報検出部
４０９  操作ボタン入力部
５００  ビデオケーブル
６００  通信ケーブル
７００  画像出力装置
８００  指示情報
【図１】
2007071901.tif 000003
【図２】
2007071901.tif 000004
【図３】
2007071901.tif 000005
【図４】
2007071901.tif 000006
【図５】
2007071901.tif 000007
【図６】
2007071901.tif 000008
【図７】
2007071901.tif 000009